(57)【要約】【解決手段】このリップスティック機構は、内側管状スリーブ（１）と、外側管状スリーブ（３）と、内側管状スリーブ（１）内に配置されるスティック保持カップ（２）とを備える。内側スリーブは、外側スリーブ（３）へ連結された筒形支持面（７）に弾性押圧されるべくなしてある摩擦パッドが形成されている壁（２１）内に筒形基部（１２）を備えており、薄くされた壁（２３）は各パッド（２２）の外周を完全に取り囲んでいる。【選択図】図５
2004520917.tif 000002
【特許請求の範囲】
【請求項１】
外側管状スリーブ（３）の内側で自由に回転する内側管状スリーブ（１）を備えており、前記両スリーブには、前記内側管状スリーブ（１）内に平行移動可能に配されたスティック保持カップ（２）に付設されている複数のスタッド（６）を案内するための２つの長手スロット（１０，１１）及び２つの螺旋形スロット（５）が設けられており、前記内側スリーブには、その壁（２１）内に外側スリーブ（３）に連結された筒形支持面（７）に弾性押圧されるべくなされた弾性摩擦リリーフが形成されている筒形基部（１２）が設けられており、前記リリーフは、前記筒形基部の壁（２１）の薄くされた部分（２３）に配置された複数のパッド（２２）により形成されているタイプのリップスティック機構等において、薄くされた壁（２３）は各パッドの外周を完全に取り囲むことを特徴とする機構。
【請求項２】
各パッド（２２）は筒形基部の壁（２１）に対して小なる過剰厚さ（ｅ）を有することを特徴とする請求項１に記載の機構。
【請求項３】
パッド（２２）の過剰厚さ（ｅ）は１００分の数ミリメートルオーダーであることを特徴とする請求項２に記載の機構。
【請求項４】
パッド（２２）は対で纏められることを特徴とする請求項１乃至３の何れかに記載の機構。
【請求項５】
２つの対向するパッド（２２）対があることを特徴とする請求項４に記載の機構。
【請求項６】
射出されたプラスチック材料からなることを特徴とする請求項１乃至５の何れかに記載の機構。
【発明の詳細な説明】
【技術分野】
【０００１】
本発明は、外側管状スリーブの内側で自由に回転する内側管状スリーブを備えており、前記両スリーブには、前記内側管状スリーブ内に平行移動可能に配されたスティック保持カップに付設されている複数のスタッドを案内するための２つの長手スロット及び２つの螺旋形スロットが設けられており、前記内側スリーブには、前記両スリーブ間の滑らか且つ規則的な回転動作を提供するために外側スリーブに連結された筒形支持面に弾性押圧される弾性摩擦リリーフが設けられているタイプのリップスティック機構等に関する。このタイプの機構はプラスチック材料からなり、射出成形される。
【背景技術】
【０００２】
特許文献１において、出願人は、リリーフがスリーブの基部に付設された付加環上に形成される弾性タブによって形成されるか、又はスリーブの基部に直接的に形成されている摩擦装置が設けられた機構を提案した。これらのタブ又はラグは、スリーブの中心線に平行に配置されており、外側スリーブの内壁の基部上か、又はこのスリーブに連結された壁（おそらくは外側スリーブを取り囲む装飾的なケーシング）上に位置して半径方向外側へと伸長する。この機構は完全に良好な摩擦を提供する。しかしながらこの優れた品質は、さほど品質要件の厳しくない大量生産を行うには製造コストが高くなりすぎる可能性がある。
【０００３】
特異な射出成形操作を用いて製造コストを下げるために、摩擦タブを筒形基部の壁内に直接的に設ける試みがなされた。摩擦リリーフは次いで、場合によっては薄くされ、筒形基部の壁内に取り込まれて（成形により）タブを形成すべく切り出された壁に配されているパッド又はボタンにより形成される。これは例えば、種々のタブ形状を用いた特許文献２、特許文献３又は特許文献４に見受けられる。
【特許文献１】欧州特許第０４３９３８１号明細書
【特許文献２】米国特許第５１８６５６０号明細書
【特許文献３】米国特許第５１８６５６１号明細書
【特許文献４】米国特許第５３２４１２６号明細書
【発明の開示】
【発明が解決しようとする課題】
【０００４】
しかしながらこれらの機構の品質は、大量生産にとってさえも平凡に過ぎる。従って、製造は単一操作の成形により行いたいという要件を考慮しながら、このタイプの装置の摩擦品質をさらに向上させる必要がある。
【課題を解決するための手段】
【０００５】
本発明の目的は、外側管状スリーブの内側で自由に回転する内側管状スリーブを備えており、前記両スリーブには、前記内側管状スリーブ内に平行移動可能に配されたスティック保持カップの複数のスタッドを案内するための２つの長手スロット及び２つの螺旋形スロットが設けられており、前記内側スリーブは、その壁内に外側スリーブに連結された筒形支持面に弾性押圧されるべくなされた弾性摩擦リリーフが形成されている筒形基部を備え、前記リリーフは、前記筒形基部を形成する壁の薄くされた部分に配置された複数のパッドにより形成されているタイプのリップスティック機構等において、薄くされた壁は各パッドの外周を完全に取り囲むことを特徴とする機構により達成される。この薄くされた壁は、好ましくは、筒形基部の壁より僅かに厚く成形されたパッド部分がその上で自由に「浮動する」薄膜（最も薄い部分で０．１乃至０．２ｍｍオーダー）からなる。
【０００６】
出願人は、こうした装置により、形状寸法がより良く制御され、より高い品質の摩擦をもたらす機構を製造できることを発見した。出願人は、先行技術のようにタブを切り出して製造すると、（テーパにおいて）確保された部分によって射出されるプラスチック材料が通りにくいことに起因するか、又は収縮の間にこれらの確保された部分の周辺に生じる応力に起因して成形の間にプラスチック材料が変形し、その結果、これらのタブ上に形成されるパッドの寸法が保証されずに大き過ぎたり小さ過ぎたりする可能性があり、従ってタブによる摩擦は予想より大きくなるか、又は小さくなることを認識した。
【発明の効果】
【０００７】
本発明によれば、形状寸法がより良く確保されるだけでなく、薄くされた壁の薄膜上に形成されるボタン又はパッドは、好適な自由度で動作することが制約される切り出しタブより一様に全方向に変形可能なある種の浮動式プラットフォームを形成し、これにより、それが押圧する外側スリーブの筒形の壁に不可避的な欠陥があったとしても、極めて滑らか且つ規則的な摩擦が加わる。
【０００８】
一般に、スリーブの射出成形操作は底部からの射出で構成されるため、基部に薄膜を形成するにあたって技術上の大きな問題はない。
【０００９】
本発明に係るパッドの配置は、協動する領域上に完全に位置する比較的広いパッド表面積を供給し、この広い面積は、面積とパッド数とを考慮して必要な摩擦力を与えるに足る１００分の数ミリメートルに等しい小さなパッドの過剰厚さのみ必要とする。この小さな過剰厚さは、薄膜の過剰な永久変形を防止し、これによりクリープを防止するため、本発明による摩擦は長期に渡り極めて安定している。
【００１０】
さらに、十分な間隙をスティック保持カップの底部に設けて、外側スリーブが内側スリーブ上を摺動し且つその基部を介してパッドを押圧する際に、パッドが、自身が位置している薄膜の半径方向内側へ僅かに貫入しているにも関わらず、遮断されずに通過できるようにすることが容易である。
【００１１】
パッドが対に纏められ、且つ直径方向に対向した２つの対のみ存在することが好ましい。
【００１２】
本発明に係るスリーブは、所望の品質及びコスト価格に依存して、このタイプの射出に従来から使用されている任意のプラスチック材料を用いて製造することが可能であり、本発明に係るクリープの制限に関して上述したことを考慮すれば、そのクリープする傾向にも関わらずポリプロピレンのような安価な材料を使用することができる。当然ながら、ポリアセタール樹脂（ＰＯＭ）等のより高価な材料を使用することも可能である。
【００１３】
本発明は、本発明に係る装置の実施例を表す添付の線図を参照して行う後述の説明を読めば、より良く理解されるであろう。説明を読み終われば、その他の特徴及び利点も明白となるであろう。
【発明を実施するための最良の形態】
【００１４】
従来より、リップスティック機構は、内部にスティック保持カップ２が付設されたプラスチック製の内側スリーブ１を備える（図５）。外側スリーブ３は同じくプラスチック製であり、通常は金属製又は金属被覆したプラスチック製である装飾的なケーシング４で覆われ、且つ組み立て部品上を摺動する。
【００１５】
内側スリーブ１は２つの長手スロット１０及び１１を備え、外側スリーブ３は２つの螺旋形スロット５（これは、その筒形内面上の単なる溝である場合もある）を備えていて、長手スロット１０及び１１によりカップ２上の両スタッド６が係合する交差領域を画定する。この領域の高さ（従ってカップ２の位置）は、スリーブ１及び３の相対回転に依存する。
【００１６】
スリーブ３はその基部に、内径が当該スリーブの他の部分の内径と異なる可能性のある筒形の部分７を備えており、これは、内側スリーブ１の底部１２と対面して、以下に図１乃至４を参照して説明する摩擦パッドと協動する。
【００１７】
スリーブ１は、３つの領域、即ち（上から下へ）スロット１０及び１１が形成される主要領域１３と、摩擦パッドが形成される環状の基部１２と、底部１４とを備える。
【００１８】
主要領域１３は、頂部にケーシング４を所定位置に固定する上端１５が配置され、底部にスリーブ４の内側ショルダと協動する停止環１６が配置されている。スロット１０及び１１のうちの一方である１１は、カップ２に付設されたスタッド６を挿入し易いように頂部が開放されている。スロット１０及び１１は、カップをその動作距離の終わりで塞ぐように偏向された頂端輪郭１７と、底端輪郭１８とを備えている。領域１３は、外側スリーブ３の中心を決める高さ１００分の数ミリメートルの極めて微小である環状突起１３又は凸状の形成物を備えていても良い。
【００１９】
底部１４は、その筒形外面上に長手溝又は長手溝飾り１９と、本底部１４を装飾的な底部へ回転なしに固定する中央通路２０とを備えている。
【００２０】
環状の基部領域１２は筒形の壁２１（その内面は領域１３の内面と連続している）を備えており、筒形の壁２１には摩擦パッド２２が幾つかの場所に、これらを完全に取り囲み且つこれらを領域１２の壁２１に固定する周辺の薄膜２３上を自由に浮動する状態で形成されている。
【００２１】
パッド２２は、壁２１の通常の厚さより「ｅ」だけ厚い一定の厚さの（従って筒形領域からなる）ボタンであり、この付加的な厚さは、外側スリーブ３の領域７の内壁を押圧するに足る１００分の数ミリメートル（例えば３／１００ｍｍ）オーダーである。この極めて小さな過剰厚さは、成形又は射出後のモールド除去に関して何ら問題を生じない。薄膜２３の最も薄い部分の厚さは０．１乃至０．２ミリメートルであり、壁２１の厚さは０．８乃至１ミリメートルオーダーである。
【００２２】
パッド２２は２つの対向する対として配置され、各対は長手スロット１０又は１１を中心とし、この中心位置から両側に２５゜離隔されている。好ましくは、パッド２２（正面図）は小なる垂直軸の寸法が約０．５ｍｍであって十分なパッドの総面積をもたらす円形又は楕円形である。
【００２３】
各パッド２２がその固有の薄膜２３で包囲される図示の装置は特に良好なものであるが、一対を成す２つのパッドをこれらの２つのパッドの間及び周辺に配置された単一の共通の薄膜上に浮動配置することも可能であろう。
【００２４】
外側スリーブ３が内側スリーブ１上に設置されると、領域７の内面は４つのパッド２２上に位置し、パッド２２は薄膜２３の柔軟性により内側へ僅かに貫入して前記領域７を弾性押圧する。これにより、所望の滑らか且つ規則的な回転が可能になる。
【図面の簡単な説明】
【００２５】
【図１】本発明に係るリップスティック機構の内側スリーブの側面図である。
【図２】同スリーブの縦断面図である。
【図３】図２におけるスリーブのＩＩＩ−ＩＩＩに沿った半断面図である。
【図４】図３におけるパッドのＩＶ−ＩＶに沿った拡大断面詳細図である。
【図５】図１のスリーブが付設された機構を構成する種々の構成要素の分解図である。
【国際公開パンフレット】
2004520917.tif 000003
2004520917.tif 000004
2004520917.tif 000005
2004520917.tif 000006
2004520917.tif 000007
2004520917.tif 000008
2004520917.tif 000009
2004520917.tif 000010
2004520917.tif 000011
2004520917.tif 000012
【国際調査報告】
2004520917.tif 000013
2004520917.tif 000014
2004520917.tif 000015
2004520917.tif 000016